(57)【要約】【課題】光ディスク装置において、データの読み出し時間を短縮化できる技術の提供。【解決手段】光ピックアップのトレース情報を検出し、該トレース情報が正常と判別される場合には、検出アドレス情報の異常の有無のいかんによらずリードリトライ動作は行わない構成とする。リードリトライ動作は、トレース情報が異常であってかつ検出アドレス情報にも異常があるときに行う。【選択図】  図１
2005044405.tif 000002
【特許請求の範囲】
【請求項１】
光ディスクに記録された情報を、アドレス情報を検出しながら読み出す光ディスク装置であって、
上記光ディスクにレーザー光を照射し反射光を電気信号に変換して出力する光ピックアップと、
上記電気信号に基づき上記アドレス情報を検出するとともに、上記光ピックアップの上記光ディスクの記録トラックに対するトレース情報を検出する検出回路と、
少なくとも上記検出したトレース情報に基づき該トレース状況を判別する判別回路と、
上記判別結果に基づき、上記記録情報の読み出し動作を制御する制御回路と、
を備え、上記トレース状況が正常と判別されたときは、上記光ピックアップで上記記録情報の読み出し動作を続行する構成としたことを特徴とする光ディスク装置。
【請求項２】
光ディスクに記録された情報を、アドレス情報を検出しながら読み出す光ディスク装置であって、
上記光ディスクにレーザー光を照射し反射光を電気信号に変換して出力する光ピックアップと、
上記電気信号に基づき上記アドレス情報を検出するとともに、上記光ピックアップの上記光ディスクの記録トラックに対するトレース情報を検出する検出回路と、
上記検出したアドレス情報を基準情報と比較し異同を判別するとともに、上記検出したトレース情報に基づき該トレース状況が正常か異常かを判別する判別回路と、
上記判別結果に基づき、上記記録情報の読み出し動作を制御する制御回路と、
を備え、上記トレース状況が正常と判別されたときは、上記光ピックアップに、リードリトライ動作を行わせずに記録情報の読み出し動作を続行させる構成としたことを特徴とする光ディスク装置。
【請求項３】
上記制御回路は、上記検出したアドレス情報が上記基準情報と異なると判別された場合、上記トレース状況が正常であると判別されたときは、上記光ピックアップに対し、リードリトライ動作を行わせずに記録情報の読み出し動作を続行させ、一方、上記検出したアドレス情報が上記基準情報と異なると判別された場合であって上記トレース状況が異常であると判別されたときは、上記光ピックアップに対し記録情報の読み出し動作を中断させリードリトライ動作を行わせる制御を行う構成を備える請求項１または請求項２に記載の光ディスク装置。
【請求項４】
上記検出回路は、上記トレース情報として、トラッキング信号状態、フォーカス信号状態、ＲＦ信号状態または同期信号状態を検出する構成である請求項１または請求項２に記載の光ディスク装置。
【請求項５】
光ディスクに記録された情報を、アドレス情報を検出しながら読み出す光ディスク装置の記録情報の読み出し方法であって、
光ピックアップにより上記光ディスクに対しレーザー光を照射し反射光を電気信号に変換するステップと、
上記電気信号に基づき上記アドレス情報を検出するステップと、
上記検出したアドレス情報を、予め設定した基準情報と比較し異同を判別するステップと、
上記判別の結果、上記検出アドレス情報が上記基準情報と異なるとき、上記光ピックアップの上記光ディスクの記録トラックに対するトレース情報を検出するステップと、
上記検出したトレース情報に基づき該トレース状況が正常か異常かを判別するステップと、
上記判別の結果、上記トレース状況が正常のときは、上記光ピックアップに、リードリトライ動作を行わせずに上記記録情報の読み出し動作を続行させ、上記検出したアドレス情報が上記基準情報と異なると判別されかつ上記トレース状況が異常であると判別されたときは、上記光ピックアップに対し上記記録情報の読み出し動作を中断させリードリトライ動作を行わせるように制御するステップと、
を経て、記録情報の読み出しを行うことを特徴とする光ディスク装置の記録情報の読み出し方法。
【発明の詳細な説明】
【０００１】
【発明の属する技術分野】
本発明は、光ディスク装置の記録情報の読み出し技術に関する。
【０００２】
【従来の技術】
本発明に関連した従来技術としては、特開２００３−２２６２７号公報（特許文献１）に記載されたものがある。該公報には、アドレス検出を行うとき、エラー検出の誤検出や誤訂正が起こった場合でも、装置が誤動作を起したり、暴走したりすることを防止できるアドレス情報検出技術として、アドレス比較部から出力された一致信号に応じて第１補間アドレス生成部が第１補間アドレスを生成し、ＣＲＣエラー検出部から出力されたエラー検出信号に応じて第２補間アドレス生成部が第２補間アドレスを生成し、検出アドレスと、第１補間アドレスまたは第２補間アドレスが一致し、かつ上記エラー検出信号がエラーなしを示す場合には、上記検出アドレスを絶対位置情報とし、上記以外の場合には、第１補間アドレスを絶対位置情報とする技術が記載されている。
【０００３】
【特許文献１】
特開２００３−２２６２７号公報
【０００４】
【発明が解決しようとする課題】
上記従来技術は、あくまでも過去のアドレス情報と現在のアドレス情報とに基づき該現在のアドレス情報の判別を行う技術であり、リードリトライ動作を行う機種においては、トレース状況が正常であっても例えば検出アドレス自体に不連続性等の誤りがあるときは、光ピックアップはリードリトライ動作を行うことになる。このため、かかる場合は、トレース状況が正常であるにもかかわらず情報データの読み出し動作が中断され、読み出しがやり直されるため、読み出しに時間がかかってしまう。
本発明の課題点は、上記従来技術の状況に鑑み、光ディスク装置において、光ピックアップのリードリトライ動作を抑え、情報データの読み出し時間を短縮できるようにすることである。
本発明の目的は、かかる課題点を解決できる技術の提供にある。
【０００５】
【課題を解決するための手段】
上記課題点を解決するために、本発明では、基本的に、光ディスク装置において、光ピックアップのトレース情報を検出し、該トレース情報が正常と判別される場合には、検出アドレス情報の異常有無のいかんによらずリードリトライは行わない構成とする。リードリトライは、トレース情報が異常であってかつ検出アドレス情報にも異常があるときに行う。具体的には、上記を基本要件とする光ディスク装置及び光ディスク装置の記録情報の読み出し方法とを本発明として提案する。
【０００６】
【発明の実施の形態】
以下、本発明の実施例につき、図面を用いて説明する。
図１〜図５は本発明の一実施例の説明図である。図１は、本発明の一実施例としての光ディスク装置の構成例図、図２は図１の光ディスク装置の動作説明図、図３はアドレス検出の説明図、図４は光ピックアップのトレース情報の説明図、図５はトレース情報の検出と判別の説明図である。
【０００７】
図１において、１は光ディスク、２は光ディスク１を回転駆動するためのディスクモータ、３は、光ディスク１に対しレーザー光を照射し、該光ディスクに情報を記録したり、記録された情報を読み出したりする光ピックアップ、４は、上記読み出された情報に基づき再生信号の増幅処理を行うＲＦ増幅部、５は、ＲＦ増幅部４からの信号をデジタル化してデータ処理を行うＤＳＰ（ＤｉｇｉｔａｌＳｉｇｎａｌ  Ｐｒｏｃｅｓｓｏｒ）、６は装置全体の制御を行うマイコン、７は、マイコン６の指示によりＤＳＰ５の出力信号をパソコン（図示なし）等に送信するＡＴＡＰＩインターフェースである。ＤＳＰ５は、マイコン６により制御され、ＲＦ増幅部４からの再生信号に基づき、映像信号等の記録情報やトラッキング制御用信号やフォーカス制御用信号やモータ制御用信号などの形成、アドレス情報の検出と判別、光ピックアップ３のトレース情報の検出と判別、記録領域の検索処理、記録信号の形成などを行う。本実施例では、トラッキングエラー信号の状態をトレース情報として用いる。
【０００８】
上記構成において、情報の再生時には、光ピックアップ３により光ディスク１の記録情報が読み出され、該読み出された情報（再生信号）がＲＦ増幅部４に入力され増幅処理が行われる。ＤＳＰ５は、ＲＦ増幅部４からの出力信号が入力され、該信号に基づき、映像信号等の記録情報の形成とともに、アドレス情報についてはエラー有無の判別及びエラーなしの場合基準情報との比較による連続性の判別、トレース情報については正常か異常かの判別を行う。それぞれの判別の結果はマイコン６に送信される。マイコン６では、上記ＤＳＰ５におけるアドレス情報の判別の結果、該アドレス情報に不連続があっても、トレース情報の判別の結果、該トレース情報が正常の場合は、光ピックアップ３をリードリトライさせる制御信号は発生しない。すなわち、この場合の該アドレス情報の不連続はマイコン６において、誤検出、誤訂正または誤記とみなされ、リードリトライ動作の対象にされない。また、上記ＤＳＰ５におけるアドレス情報の判別の結果、該アドレス情報に不連続があって、かつ、トレース情報の判別の結果、該トレース情報が異常の場合は、マイコン６は、光ピックアップ３をリードリトライさせる制御信号を発生する。すなわち、この場合の該アドレス情報の不連続はマイコン６において、誤検出または誤訂正であってトレース情報を異常にする事態が発生したとみなされ、リードリトライ動作の対象にされる。
【０００９】
以下、図２〜図５の説明中、光ディスク装置の構成要素には上記図１におけると同じ符号を付して用いる。
図２は、図１の光ディスク装置の動作説明図である。
【００１０】
図２において、
（１）データ読み出し処理にあたり、アドレス情報について妥当性検証動作を開始する（ステップＳ２０１）。
（２）ＤＳＰ５内の検出回路でアドレス情報の検出を行い、アドレスエラーが検出されているか否かを判別する（ステップＳ２０２）。
（３）アドレスエラーが検出されていない場合は、上記検出したアドレス情報（読み出しアドレス）をＤＳＰ５内の判別回路で基準情報（予め設定した期待アドレス）と比較して異同を判別する（ステップＳ２０３）。
（４）上記判別の結果、検出したアドレス（読み出しアドレス）が期待アドレスと異なる場合は、ＤＳＰ５内の検出回路で検出した光ピックアップ３のトレース情報につき、マイコン６の指示により、ＤＳＰ５内の判別回路で光ピックアップ３のトレース状態が正常か異常か（異変が起きているか否か）を判別する（ステップＳ２０４、ステップＳ２０５）。
（５）上記判別の結果、光ピックアップ３のトレース状態が異常（異変が起きている）とされる場合は、マイコン６の指示により、データの読み出し処理を中断して光ピックアップ３にリードリトライ動作を行わせる（ステップＳ２０７）。
（６）一方、上記ステップＳ２０２の判別でアドレスエラーが検出された場合や、上記ステップＳ２０３の判別で検出アドレス（読み出しアドレス）が期待アドレスと同じとされる場合や、上記ステップＳ２０５の判別でトレース情報に異常が認められないとされる場合には、データ読み出し処理のアドレス妥当性検証動作を正常に終了させる（ステップＳ２０６）。
【００１１】
なお、上記ステップＳ２０２の判別の結果、アドレスエラーが検出された場合、ＤＳＰ５内の検出回路で検出した光ピックアップ３のトレース情報につき、マイコン６の指示により、ＤＳＰ５内の判別回路で光ピックアップ３のトレース状態が正常か異常か（異変が起きているか否か）を判別し、該判別の結果、光ピックアップ３のトレース状態が異常（異変が起きている）とされる場合は、マイコン６の指示により、データの読み出し処理を中断して光ピックアップ３にリードリトライ動作を行わせ、トレース情報に異常が認められないとされる場合には、データ読み出し処理のアドレス妥当性検証動作を正常に終了させるようにしてもよい。
【００１２】
図３は、上記図１の光ディスク装置におけるアドレス検出の説明図である。
図３において、（ａ）は光ディスク１から読み出されたアドレス値、（ｂ）はアドレスエラー検出結果またはエラー訂正結果、（ｃ）はアドレス期待値（期待アドレス）、（ｄ）はアドレスエラー誤検出、アドレスエラー誤訂正またはアドレス誤記の有無である。光ディスク１上のデータは、所定のデータ量を基本単位とし、該基本単位毎に固有のアドレスが連続的に割当てられている。従って、光ディスク１からシーケンシャルに読み出されたデータに対するアドレス値は、そのエラー検出結果や訂正結果に問題がないときは連続した値として読み出されるが、エラー誤検出、エラー誤訂正、アドレス自体の誤記などに起因して、連続したアドレス値を読み出せない場合がある。本図３の場合は、アドレスのエラー検出結果やエラー訂正結果には問題がないにもかかわらず、光ディスク１からは不連続のアドレス値が読み出された場合の例である。光ディスク１から読み出されたアドレス値は、時系列順に、ｎ−１、ｎ、ｎ、ｎ＋２の不連続値となり、連続的なアドレス期待値の、ｎ−１、ｎ、ｎ＋１、ｎ＋２と一部において一致しない。この場合、アドレスエラー誤検出、アドレスエラー誤訂正またはアドレス誤記が、該不連続アドレスの位置において「あり」とされる。
【００１３】
図４は、上記図１における光ピックアップのトレース情報の説明図である。
図４において、（ａ）は、トレース情報としてのトラッキングエラー信号の例、（ｂ）は、トラッキングエラー信号に基づく光ピックアップのトレース状態の異常有無の検出信号の例である。（ａ）のトラッキングエラー信号の形成と、（ｂ）の異常有無検出信号の形成はいずれも、図１のＤＳＰ５内でなされる。ＤＳＰ５内で形成されたトラッキングエラー信号は、該ＤＳＰ５内で、その振幅を基準値としての閾値Ｓ１、Ｓ２と比較され、該閾値Ｓ１またはＳ２を超えるときに、「異常あり」と判別される。（ｂ）において、Ａ１は、判別により該トラッキングエラー信号の異常が検出されたことを示す信号レベルであって、例えば「１」レベル、Ａ２は、トラッキングエラー信号の異常が検出されないことを示す信号レベルであって、例えば「０」レベルである。該異常有無の情報はマイコン６に入力される。マイコン６は該トレース情報に基づき、光ピックアップのリードリトライを制御する制御信号を形成する。
【００１４】
図５はトレース情報の検出と判別の説明図である。
トラッキングエラー信号に基づき、トレース情報の検出と判別を以下の手順で行う。すなわち、
図５において、
（１）光ピックアップ３のトレース状態の確認動作を開始する（ステップＳ５０１）。
（２）マイコン６がＤＳＰ５を参照し、ＤＳＰ５におけるトラッキングエラー信号の異常検出の有無を判別する（ステップＳ５０２、ステップＳ５０３）。
（３）上記ステップＳ５０３における判別の結果、トラッキングエラー信号に異常がないときは、トラッキング異常検出保持タイマーのタイムアウトを判別する（ステップＳ５０４）。該トラッキング異常検出保持タイマーは、マイコン６が一時的に保持するトラッキング異常検出有無情報の保持期間を決める。該保持期間としては少なくとも、トラッキング異常が発生してから、その影響を受けたアドレス異常をマイコン６が検出するまでの時間以上必要である。
（４）上記ステップＳ５０３における判別の結果、トラッキングエラー信号に異常があるときは、トレース状態に異常（異変発生）ありとする（ステップＳ５０７）とともに、トラッキング異常検出保持タイマーをスタートさせ、マイコン６が一時的にトラッキング異常検出有無情報を保持するようにする（ステップＳ５０８）。トレース状態に異常（異変発生）ありとされたこの場合は、光ピックアップのリードリトライ動作の対象となる。
（５）上記ステップＳ５０４における判別の結果、タイムアウトの場合は、光ピックアップ３のトレース状態に異常（異変発生）なしとして（ステップＳ５０９）、トレース状態の確認動作を終了する（ステップＳ５０６）。
（６）上記判別の結果、タイムアウトしない場合は、光ピックアップ３のトレース状態を保持し（ステップＳ５０９）、トレース状態の確認動作を終了する（ステップＳ５０６）。
【００１５】
上記実施例では光ピックアップのトレース情報として、トラッキング信号の状態情報を用いたが、該トレース情報としては、この他、例えば、フォーカス信号の状態情報や、ＲＦ信号の状態情報や、同期信号の状態情報などを用いることができる。
【００１６】
図６は、光ピックアップのトレース情報として、ＲＦ信号の状態情報を用いる場合の例である。該ＲＦ信号の状態情報としては該ＲＦ信号のエンベロープ波形の振幅を用いる。（ａ）は、トレース情報としての該ＲＦ信号のエンベロープ波形例、（ｂ）は、エンベロープ波形に基づく光ピックアップのトレース状態の異常有無の検出信号の例である。（ａ）のＲＦ信号のエンベロープ波形の形成と、（ｂ）の異常有無検出信号の形成はいずれも、図１のＤＳＰ５内でなされる。ＤＳＰ５内で形成されたエンベロープ波形は、該ＤＳＰ５内で、その振幅を基準値としての閾値Ｓ１０、Ｓ１１と比較され、該閾値Ｓ１０、Ｓ１１で限定される範囲を超えて小さくなるときに、「異常あり」と判別される。（ｂ）において、Ｂ１は、判別により該ＲＦ信号のエンベロープ波形の異常が検出されたことを示す信号レベルであって、例えば「１」レベル、Ｂ２は、該ＲＦ信号のエンベロープ波形の異常が検出されないことを示す信号レベルであって、例えば「０」レベルである。該異常有無の情報はマイコン６に入力される。マイコン６は該トレース情報に基づき、光ピックアップのリードリトライを制御する制御信号を形成する。本図６の例では、時点ｔ１’、ｔ２’間でエンベロープ波形の振幅が閾値を超えて縮小した場合である。
【００１７】
図７は、光ピックアップのトレース情報として、同期信号の入力状態を用いる場合の例である。（ａ）は、トレース情報としての同期信号の入力状態を示す図、（ｂ）は、同期信号の入力状態に基づくＰＬＬ外れの有無を検出した検出信号の例である。（ａ）の状態情報は、図１のＤＳＰ５内でＲＦ増幅部からの信号をデータ処理することで取得され、（ｂ）の異常有無検出信号も該ＤＳＰ５内で形成される。同期信号に異常が発生したために同期信号の入力状態情報から同期情報を検出するとき、該同期情報を検出できない回数が予め設定されたｎ回に達したときにＰＬＬ外れを起こしたと判別するようにしてある。該ＰＬＬ外れを起こした場合は、トレース情報は「異常あり」と判別される。該異常有無の情報はマイコン６に入力される。マイコン６は該トレース情報に基づき、光ピックアップのリードリトライを制御する制御信号を形成する。
【００１８】
上記実施例によれば、光ピックアップ３のトレース状況が正常である場合には、たとえアドレスに異常が検出されても、光ピックアップ３に対しリードリトライ動作をさせないようにすることができるため、データの読み出し時間を短縮化できるとともに、該データ読み出しの信頼性を向上させることができる。
【００１９】
【発明の効果】
本発明によれば、光ディスク装置において、データの読み出し時間を短縮化できる。また、データ読み出しの信頼性を向上させることができる。
【図面の簡単な説明】
【図１】本発明の一実施例としての光ディスク装置の構成例を示す図である。
【図２】図１の光ディスク装置の動作説明図である。
【図３】アドレス検出の説明図である。
【図４】光ピックアップのトレース情報の説明図である。
【図５】トレース情報の検出と判別の説明図である。
【図６】トレース情報としてＲＦ信号の状態情報を用いる場合の説明図である。
【図７】トレース情報として同期信号の入力状態情報を用いる場合の説明図である。
【符号の説明】
１…光ディスク、  ２…ディスクモータ、  ３…光ピックアップ、  ４…ＲＦ増幅部、  ５…ＤＳＰ、  ６…マイコン、  ７…ＡＴＡＰＩインターフェース。
【図１】
2005044405.tif 000003
【図２】
2005044405.tif 000004
【図３】
2005044405.tif 000005
【図４】
2005044405.tif 000006
【図５】
2005044405.tif 000007
【図６】
2005044405.tif 000008
【図７】
2005044405.tif 000009